(57)【要約】【課題】  本発明は、広い視野角特性を得ることができる液晶表示装置のバックライトアッセンブリーを提供することをその目的とする。【解決手段】  本発明による液晶表示装置のバックライトアッセンブリーは、光を発生させるランプと;前記ランプ側面に配置されて光を案内する導光板と;前記導光板から出射された光の効率を向上させるために前記導光板上部に配置される拡散シート及びプリズムシートが含まれる液晶表示装置のバックライトアッセンブリーにおいて、前記プリズムシートは母屋部と、前記母屋部上に凹んだ傾斜面を持つ多数の突出部が形成されたものであることを特徴とする。【選択図】  図６Ａ
2005150116.tif 000002
【特許請求の範囲】
【請求項１】
光を発生させるランプと;
前記ランプ側面に配置されて光を案内する導光板と;
前記導光板から出射された光の効率を向上させるために前記導光板上部に配置される拡散シート；及び
プリズムシートと；
を有する液晶表示装置のバックライトアッセンブリーにおいて、
前記プリズムシートは母屋部と、前記母屋部上に凹んだ傾斜面を持つ多数の突出部が形成されることを特徴とする液晶表示装置のバックライトアッセンブリー。
【請求項２】
前記突出部の傾斜面は半径(r)が同じ２つの円柱の重畳によって成り立つ前記二つの円柱間の円弧面で、
前記突出部の頂点(a)は前記重畳される二つの円柱の接点のうちで円柱断面の中心(O)位置のような低い地点にある接点であることを特徴とする請求項１に記載の液晶表示装置のバックライトアッセンブリー。
【請求項３】
前記多数の突出部は前記母屋部の一端部から前記一端部と対向する他端部まで延長して線形で多数が互いに平行に形成されることを特徴とする請求項１に記載の液晶表示装置のバックライトアッセンブリー。
【請求項４】
前記プリズムシートは透明樹脂物質で形成されることを特徴とする請求項１に記載の液晶表示装置のバックライトアッセンブリー。
【請求項５】
前記透明樹脂物質はアクリル又はポリカーボネートであることを特徴とする請求項４に記載の液晶表示装置のバックライトアッセンブリー。
【請求項６】
前記重畳される二つの円柱断面の中心(O)を基準にして断面の中心(O)と前記突出部の頂点(a)が成す角の大きさθは0゜≦θ＜90゜の範囲中にあることを特徴とする請求項2に記載の液晶表示装置のバックライトアッセンブリー。
【請求項７】
前記突出部の頂点間の距離は前記円柱の半径(r)が(cos θ+ 1)倍と同じような小ささとしたことを特徴とする請求項６に記載の液晶表示装置のバックライトアッセンブリー。
【請求項８】
前記突出部の高さは300μmより小さいことを特徴とする請求項１に記載の液晶表示装置のバックライトアッセンブリー。 
【請求項９】
前記プリズムシート上部にプリズムシートから入射された光を再処理するための再処理シートが含まれることを特徴とする請求項１に記載の液晶表示装置のバックライトアッセンブリー。
【請求項１０】
前記プリズムシートは前記突出部が前記拡散シートと対面できるように配置されることを特徴とする請求項１に記載の液晶表示装置のバックライトアッセンブリー。
【請求項１１】
前記プリズムシートは前記母屋部が前記拡散シートと対面できるように配置されることを特徴とする請求項１１に記載の液晶表示装置のバックライトアッセンブリー。
【請求項１２】
前記プリズムシートは2枚が具備されて、前記2枚のプリズムシートにそれぞれ形成された突出部が互いに0゜から90゜間の角度を成しながら配置されることを特徴とする請求項１に記載の液晶表示装置のバックライトアッセンブリー。
【請求項１３】
前記拡散シート下部に位置する導光板の上部面に所定の突出部が多数形成されることを特徴とする請求項１０に記載の液晶表示装置のバックライトアッセンブリー。
【請求項１４】
光を発生させるランプと;
前記ランプ側面に配置されて光を案内する導光板と;
前記導光板上部に配置されて前記導光板から入射される光を散乱して光の輝度分布を均一にする拡散シートと;
前記拡散シート上部に配置されて、その一面に凹んだ傾斜面を持つ多数の突出部がストライプ形態に配列されて形成されているプリズムシートと;
前記プリズムシート上部にプリズムシートから入射された光を再処理するための再処理シートと；
を備えることを特徴とする液晶表示装置のバックライトアッセンブリー。
【請求項１５】
前記入射された光の再処理はランプで発生された前記プリズムシートを透過する光に対して、前記光のＰ波又はＳ波を再処理して同一な波を作ることを特徴とする請求項１４に記載の液晶表示装置のバックライトアッセンブリー。
【請求項１６】
前記プリズムシートは前記突出部が前記拡散シートと対面するように配置されることを特徴とする請求項１４に記載の液晶表示装置のバックライトアッセンブリー。
【請求項１７】
前記拡散シート下部に位置する導光板の上部面に所定の突出部が多数形成されることを特徴とする請求項１６に記載の液晶表示装置のバックライトアッセンブリー。
【発明の詳細な説明】
【技術分野】
【０００１】
本発明は非発光型平面ディスプレー装置に関し、特に液晶表示装置のバックライトアッセンブリー構成の中の光学シートに関する。
【背景技術】
【０００２】
最近になって陰極線管(Cathode Ray Tube)の短所である重さと体積を減らすことができる各種平板表示装置等が開発されている。
【０００３】
このような平板表示装置等では、液晶表示装置(Liquid Crystal Display、 LCD)、電界放出表示装置(Field Emission Display)、プラズマディスプレーパネル(Plasma Display Panel、 PDP)及びエロクトロ ルミネセンス(Electro-Luminescence、 EL)表示装置などがあり、このような前記平板表示装置に対して表示品質を高めて、大画面化を試みる研究等が活発に進行されている。
【０００４】
前記評判表示装置の中で液晶表示装置(LCD)は、ランプなどの光源を利用して画像を表現する非発光型表示装置で、小型、軽量化及び低消費全力などのような長所を持っており、液晶表示パネルの内部に注入された液晶の電気、光学的性質を利用して情報を表示する装置である。
【０００５】
すなわち、液晶表示装置は陰極線管とは違いTFT(Thin Film Transistor)基板とカラーフィルター基板の間に注入された液晶物質が自己発光をする発光性物質ではなく外部から入って来る光の量を調節して画面に表示する受光性物質であるため液晶表示パネルに光を調査するための別途の装置、すなわちバックライトアッセンブリーが必ず必要である。
【０００６】
前記バックライトアッセンブリーは、収納空間が形成されたモールドプレームと、収納空間の基底面に設置され液晶表示パネルの方で光を反射する反射シート、反射シートに上部面に設置されて光を案内する導光板、導光板と収納空間の側壁の間に設置されて光を射出するランプユニット、導光板の上部面に積層され光を拡散して集光する光学シート、モールドフレームの上部に設置されて液晶表示パネルの端所定部分からモールドフレームの側面までを覆うトップサッシで構成される。
【０００７】
ここで、光学シート等は、光を拡散させる拡散シートと、拡散シートの上部面に積層され拡散した光を集光させて液晶表示パネルで伝逹するプリズムシート及び前記拡散シートとプリズムシートを保護するための保護シートで構成される。
【０００８】
図１は従来の液晶表示装置を構成を現わした断面図である。  
図１を参照すれば、従来の液晶表示装置(60)は光を発生するバックライトアッセンブリー(50)、前記バックライトアッセンブリー(50)の上側に具備されて、前記バックライトアッセンブリー(50)から光を供給して映像を表示するディスプレーユニット(40)を含む。
【０００９】
前記バックライトアッセンブリー(50)は、光を発生するランプユニット(51)、前記ランプユニット(51)からの光を前記液晶表示パネル(10)側でガイドするための導光ユニットを具備する。
【００１０】
一方、前記ディスプレーユニット(40)は、液晶表示パネル(10)及び前記液晶表示パネル(10)の上部及び下部にそれぞれ具備される上側及び下側偏光板(30，20)を備え、前記液晶表示パネル(10)は、電極が形成されたTFT基板及びカラーフィルター基板(11，12)と前記TFT基板及びカラーフィルター基板(11，12)の間に注入された液晶層を備える。
【００１１】
具体的には、前記ランプユニット(51)は、光を発生するランプ(51a)及び前記ランプ(51a)を覆うランプ反射板(51b)を含む。前記ランプ(51a)から発生された光は後述される導光板(52)側に入射されて、前記ランプ反射板(51b)は前記ランプ(51a)から発生された光を導光板(52)側で反射させて前記導光板(52)に入射される光の量を向上させる。
【００１２】
前記導光ユニットは、反射板(54)、導光板(52)、光学シート類(53)を含む。前記導光板(52)は前記ランプユニット(51)の片側に具備されて、前記ランプユニット(51)からの光をガイドする。この時、前記導光板(52)は前記ランプユニット(51)から出射された光の経路を変更して前記液晶表示パネル(10)側でガイドする。
【００１３】
前記導光板(52)の下部には前記導光板(52)から漏洩した光をまた前記導光板(52)側に反射するための反射板(54)が具備される。
【００１４】
一方、前記導光板(52)の上部には前記導光板(52)から出射された光の効率を向上させるための多数の光学シート（53）が具備される。具体的には、前記光学シートは拡散シート(53a)、プリズムシート(53b)及び保護シート(53c)を備え、前記導光板(52)の上部に順次に積層される。
【００１５】
前記拡散シート(53a)は、前記導光板(52)から入射される光を散乱して光の輝度分布を選ぶようにする。前記プリズムシート(53b)は上部面に三角柱模様のプリズムが反復的に形成されて、前記拡散シート(53a)によって拡散した光を前記液晶表示パネル(10)の平面に垂直な方向に集光して、これによって、前記プリズムシート(53b)を通過する光は殆ど大部分前記液晶表示パネル(10)の平面に対して垂直に進行されて均一な輝度分布を持つ。
【００１６】
また、前記プリズムシート(53b)の上部に提供される保護シート(53c)は、前記プリズムシート(53b)の表面を保護する役割と共に、前記プリズムシート(53b)から入射された光の分布を均一にさせるために光を拡散させる役割を遂行する。
【００１７】
図2A及び図2Bは図1に図示されたプリズムシートの断面図及び斜視図である。図2A及び図2Bを参照すれば、従来のプリズムシート(200)は導光板及び拡散シートによって拡散した光が最初に入る母屋部(210)と、前記拡散した光の経路を一定に進行させるようにする二等辺三角柱模様の突出部(220)で構成されて、前記突出部(220)は前記母屋部(210)上からストライプ形態で線形に配列されている。
【００１８】
この時、前記二等辺三角柱模様の突出部(220)は数10μm〜数100μmのピッチ(pitch)を持っていて、三角柱の頂角(α)は60°〜130°の範囲にあり、前記頂角(α)の角度が鋭角であればあるほど輝度が高くなる代わりに視野角は狭くなる特性がある。
【００１９】
また、図示されているように、三角柱模様の突出部(220)が正面に向けて設置された場合には、すなわち突出部を液晶表示パネルに向ける場合、前記母屋部(210)を通じて入る拡散した光に対してこれを前方で屈折させて集めるようになるが、前記突出部の傾斜面に入射する光は内部全反射によって前方輝度向上に寄与することができずに損失されるという問題点がある。
【００２０】
これを克服するために、前記突出部(220)が導光板に向うようにプリズムシートを逆に配置することもできるが、この場合前方輝度を向上させることができる反面、視野角が狭くなって家庭用TVのような広い視野角が要求される平板ディスプレーにおいては適当ではないという問題点がある。
【発明の開示】
【発明が解決しようとする課題】
【００２１】
本発明は、バックライトアッセンブリーに具備される光学シート類のうちのプリズムシートにおいて、前記プリズムシートの一面に凹んだ傾斜面を持つ多数の突出部を形成することで、広い視野角の特性を得ることができる液晶表示装置のバックライトアッセンブリーを提供することにその目的がある。
【課題を解決するための手段】
【００２２】
前記目的を果たすために、本発明による液晶表示装置のバックライトアッセンブリーは、光を発生させるランプと;前記ランプ側面に配置されて光を案内する導光板と;前記導光板から出射された光の効率を向上させるために前記導光板上部に配置される拡散シート及びプリズムシートが含まれる液晶表示装置のバックライトアッセンブリーにおいて、
前記プリズムシートは、母屋部と、前記母屋部上に凹んだ傾斜面を持つ多数の突出部が形成されることを特徴とする。
【００２３】
ここで、前記突出部の傾斜面は半径(r)が同じ二つの円柱の重畳によって成り立つ前記二つの円柱の間の円弧面で、前記突出部の頂点(a)は前記重畳される二つの円柱の接点の中で円柱断面の中心(O)位置のような低い地点にある接点であることを特徴とする。
【００２４】
また、前記多数の突出部は前記母屋部の一端部から前記一端部と対向する他端部まで延長して線形で多数が互いに平行に形成されることを特徴とする。
【００２５】
また、前記プリズムシートは透明樹脂物質で形成されて、前記透明樹脂物質はアクリル(Acryl)またはポリカーボネート(Polycarbonate)であることを特徴とする。
【００２６】
また、前記重畳される二つの円柱断面の中心(O)を基準で前記断面の中心(O)と前記突出部の頂点(a)が成す角の大きさθは0°≦θ＜90゜の範囲中にあり、前記突出部の頂点の間の距離は前記円柱の半径(r)を(cos θ+ 1)倍と同じような小ささを特徴とする。
【００２７】
また、前記突出部の高さは300μmより小さいことを特徴にして、前記プリズムシート上部にプリズムシートから入射された光を再処理するための再処理シーッが含まれることを特徴とする。
【００２８】
また、前記プリズムシートは前記突出部が前記拡散シートと対面するように配置されて、前記プリズムシートは前記母屋部が前記拡散シートと対面するように配置されることを特徴とする。
【００２９】
また、前記プリズムシートは2枚が具備されて、前記2枚のプリズムシートにそれぞれ形成された突出部がお互いに0゜から90゜間の各を成しながら配置されることを特徴とする。
【００３０】
また、本発明の他の実施例による液晶表示装置のバックライトアッセンブリーは、光を発生させるランプと;前記ランプ側面に配置されて光を案内する導光板と;前記導光板上部に配置されて前記導光板から入射される光を散乱して光の輝度分布を均一にする拡散シートと;前記拡散シート上部に配置されて、その一面に凹んだ傾斜面を持つ多数の突出部がストライプ形態に配列されて形成されているプリズムシートと;前記プリズムシート上部にプリズムシートから入射された光を再処理するための再処理シートが含まれることを特徴とする。
【発明の効果】
【００３１】
以上の説明のように発明による液晶表示装置のバックライトアセンブリーによれば、プリズムシーツに形成される突出部の傾斜面を凹ませた形態で形成することで、光源の効率低下を最小にして、光視野角を確保することができるという長所がある。
【発明を実施するための最良の形態】
【００３２】
以下添付された図面を参照して本発明による実施例を詳細に説明するようにする。  
図3A及び図 3B、３Cは本発明による液晶表示装置バックライトアッセンブリーの構成を現わす断面図である。  
図3A及び図3Bを参照すれば、本発明による液晶表示装置バックライトアッセンブリー(300)はある幅をもって光を発生するランプユニット(310)と、前記ランプユニット(310)からの光を液晶表示パネル側でガイドするための導光ユニットで構成される。
【００３３】
ただし、本発明は、前記導光ユニットに具備される光学シート類(340)中のプリズムシートがアクリル(Acryl)又はポリカーボネート(Polycarbonate)等の透明樹脂物質で形成されて、前記プリズムシートの一面に凹んだ傾斜面を持つ多数の突出部がストライプ形態すなわち、線型に配列されて形成されていることをその特徴とする。
【００３４】
この時、前記プリズムシート上に形成された前記突出部の傾斜面は半径(r)が同じ二つの円柱の重畳によって成り立つ前記二つの円柱の間の円弧面で、前記突出部の頂点(a)は前記重畳される二つの円柱の接点の中で円柱断面の中心(O)位置のような低い地点にある接点であるのを特徴とする。
【００３５】
ここで、前記円柱はプリズムシート上に形成される突出部の形象をデザインするために導入することで実際プリズムシート上には具備されない。
【００３６】
このような前記凹んだ傾斜面を持った突出部構造による光の屈折において、これはスネルの法則が適用されて結果的に前記凹んだ傾斜面に入射される光は前記光(400)が入射される側に形成された虚焦点(F')から広がっていくように屈折(410)する。これは図４に図示された凹レンズによる光の屈折を参照すれば容易にわかる。
【００３７】
すなわち、前記プリズムシート上に具備された突出部の傾斜面を凹ませて形成することで、前記プリズムシートに流入する所定角度の光を多様な方向に屈折させるようになり、これによって広い範囲に対して均一した光学的特性を得ることができる。
【００３８】
また、前記ランプユニット(310)は光を発生するランプ(312)及び前記ランプ(312)を覆うランプ反射板(314)を含む。前記ランプ(312)から発生された光は導光板(320)側に入射されて、前記ランプ反射板(314)は前記ランプ(312)から発生された光を導光板(320)側で反射させて前記導光板(320)に入射される光の量を向上させる。これは一般的なランプユニットの構成である。
【００３９】
ここに前記導光ユニットは反射板(330)、導光板(320)、光学シート類(340)を含むものとして構成されて、前記導光板(320)は前記ランプユニット(310)の片側に具備されて、前記ランプユニット(310)からの光をガイドする。この時、前記導光板(320)は前記ランプユニット(310)から出射された光の経路を変更して前記液晶表示パネル側でガイドする。
【００４０】
前記導光板(320)の下部には前記導光板(320)から漏洩した光を又前記導光板(320)側に反射するための反射板(330)が具備され得る。
【００４１】
一方、前記導光板(320)の上部には前記導光板(320)から出射された光の効率を向上させるための光学シート類(340)が具備され、前記光学シート(340)は拡散シート(342)、プリズムシート(344)、再処理シート(346)が順次に積層される構造である。
【００４２】
ここで、前記拡散シート(342)は前記導効板(320)から入射される光を散乱して光の輝度分布を均一する。
【００４３】
また、前に説明した本発明によるプリズムシート(344)の場合、前記凹んだ傾斜面を持つ多数の突出部が図3Aに図示されたように前記拡散シート(342)と対面するように配置されるか、あるいは図3Bに図示されたように前記突出部が形成されなかった他の面が前記拡散シート(342)と対面するように配置されることもできる。
【００４４】
この例図3Cに図示された実施例の場合、導光板(320)の上部表面に突出部(321)が多数形成されていて、これにより前記導光板(320)に入射される光の約80％程度が特定角度(60°〜80°)で出射される。図3Cに図示されたように、この場合は本発明によるプリズムシート(344)が図3Bの場合ように突出部が形成された面が拡散シート(342)と背面になるように配置されることで、前記特定角度に入射された光が前記プリズムシート突出部の凹んでいる傾斜面により多様な方向に屈折され、これにより広い範囲に対して均一な光学的特徴を得られるようになる。
【００４５】
また、前記プリズムシート(344)の上部に提供される再処理シート(346)は前記プリズムシート(344)の表面を保護する役割と共に前記プリズムシート(344)から入射された光を再処理する役割を遂行する。
【００４６】
この時、前記入射された光の再処理は前記ランプ(312)で発生されて前記導光板(320)、拡散シート(342)、プリズムシート(344)を透過する光に対して、前記光のＰ波(Primary, Push wave)又はＳ波(Secondary, Shake wave)中の一つを再処理して同一な波を作ることで、これを通じて輝度が向上する。
【００４７】
ただ、前記再処理シートは場合によっては除去されることもできる。図5は本発明の一実施例による液晶表示装置バックライトアセンブリーの構成を現わす斜視図である。
【００４８】
ただし、図3A及び図3Bに図示されたバックライトアッセンブリーの構成要素と同一な構成要素に対しては同一な図面符号を使って、その説明は省略する。
【００４９】
図5を参照すれば、本発明の一実施例による液晶表示装置バックライトアッセンブリー(300')は図3に図示された本発明のバックライトアッセンブリー(300)と基本的な構成は等しいが、前記プリズムシート(344，344')が2枚具備されて、前記２枚のプリズムシート(344，344')にそれぞれ形成された突出部が互いに0゜から90゜間の角度を成しながら配置されることをその特徴とする。
【００５０】
これは前記拡散シーツト(320)から拡散した光をもっと效果的に集光して液晶表示パネルの輝度及び視野角を向上させるためである。
【００５１】
ここで、図5に図示された前記2枚のプリズムシート(344，344')はそれぞれ前記突出部が前記拡散シート(320)と対面するように配置されているが、図3Bに図示されたところのように前記プリズムシート(344，344')の母屋部が前記拡散シート320)と対面するように配置することもできる。
【００５２】
図6A及び図6Bは図3に図示されたプリズムシートの断面図及び斜視図である。  
図6A及び図6Bを参照すれば、本発明によるプリズムシート(500)は母屋部(510)と、前記母屋部(510)上に凹んだ(524)傾斜面を持つ多数の突出部(520)が形成されていることが分かる。
【００５３】
ここで、前記突出部の傾斜面(524)は半径(r)が同じ２つの円柱(522)の重畳によって成り立つ前記二つの円柱(522)の間の円弧面になって、前記突出部の頂点(a)は前記重畳される二つの円柱の接点の中で円柱断面の中心(O)位置のように低い地点にある接点になる。
【００５４】
図6A及び図6Bの場合、前記突出部の傾斜面(524)を形成するにおいて、半径(r)が同じ２つの円柱(522)の重畳によることをその例にしているが、これは一実施例に過ぎず、前記円柱の半径が同じでなくても可能である。
【００５５】
前記突出部(520)は前記頂点(a)から続いて半径ｒである円柱と同一な曲率を持った傾斜面を成しながら隣接した突出部と接するようになる。
【００５６】
ただし、前記円柱(522)はプリズムシート(500)上に形成される突出部(520)の形状をデザインするために導入することで実際プリズムシート(500)上には具備されないのである。
【００５７】
このような前記多数の突出部(520)は前記母屋部(510)の一端部から前記一端部と対向する他端部まで延長してストライプ形態で多数がお互いに平行に形成される。
【００５８】
また、前記多数の突出部(520)は前記母屋部(510)と一体に形成されることが望ましい。すなわち、前記プリズムシート(500)はフラットな形態のフィルムの一面に前記突出部(520)の形態を持つように加工して形成される。
【００５９】
前に説明したところのように、前記凹んだ傾斜面(524)を持った突出部(520)構造のプリズムシート(500)に対して前記凹んだ傾斜面(524)に入射される光は多様な方向に屈折されて、これに従って広い範囲に対する均等な光学的特性を得ることができ、光視野角特性を確保することができる。
【００６０】
つまり、従来の三角柱形状のプリズムシートの場合三角柱突出部の一角(ａ)の角度が鋭角である程輝度が高くなる代わりに視野角は狭くなる短所があるが、本発明による場合、前記一角(ａ)が鋭角であるので、高い輝度を有することができ、それだけではなく凹んだ傾斜面(524)を持つ突出部(520)構造を通して入射される光を多様な方向に屈折されるようになり、光の視野角の特性を得られるという長所がある。
【００６１】
図6Aを参照する時、前記突出部(520)の高さをhとし、前記重畳される二つの円柱(522)断面の中心(O)を基準にして前記断面の中心(O)と前記突出部の頂点(a)が成す角の大きさをθとして、前記突出部間の距離すなわち、ピッチ(pitch)をｐとする。ここで、ｐは前記突出部の頂点(a)間距離になるのである。
【００６２】
本発明の場合前記θは0゜と同じか大きく、90゜より小さな範囲内にあり、前記hは300μmより小さく形成して、前記pはr*(cos θ+1)と同じか小さく形成する。
【００６３】
すなわち、これを数式で表現すれば次のようになる。
【００６４】
0゜≦θ＜90゜，
h＜300μｍ，
p≦r*(cos θ+ 1)
になる。
【００６５】
結果的に本発明による液晶表示装置のバックライトアッセンブリーの構成要素の中でプリズムシートの製造において、前記プリズムシートを成す材料の屈折率と、入射光の各分布に対するθと、円柱の半径ｒ及び突出部間の距離ｐを調節することで輝度及び視野角に対する適切な光学的特性を得ることができるのである。
【産業上の利用可能性】
【００６６】
本発明はバックライトアッセンブリーに具備される光学シート類のうちのプリズムシートにおいて、前記プリズムシートの一面に凹んだ傾斜面を持つ多数の突出部を形成することで、広い視野角特性を得ることができるという産業上利用可能性がある。
【図面の簡単な説明】
【００６７】
【図１】従来の液晶表示装置を構成を現わした断面図。
【図２Ａ】図1に図示されたプリズムシートの断面図。
【図２Ｂ】図1に図示されたプリズムシートの斜視図。
【図３Ａ】本発明による液晶表示装置バックライトアッセンブリーの構成を現わす断面図。
【図３Ｂ】本発明による液晶表示装置バックライトアッセンブリーの構成を現わす断面図。
【図３Ｃ】本発明による液晶表示装置バックライトアッセンブリーの構成を現わす断面図。
【図４】凹レンズに入射される光の屈折を現わす図面。
【図５】本発明の一実施例による液晶表示装置バックライトアッセンブリーの構成を現わす斜視図。
【図６Ａ】図3に図示されたプリズムシートの断面図。
【図６Ｂ】図3に図示されたプリズムシートの斜視図。
【符号の説明】
【００６８】
500  プリズムシート
510  母屋部（重要中心部）
520  突出部
522  円柱
524  傾斜面
【図１】
2005150116.tif 000003
【図２Ａ】
2005150116.tif 000004
【図２Ｂ】
2005150116.tif 000005
【図３Ａ】
2005150116.tif 000006
【図３Ｂ】
2005150116.tif 000007
【図３Ｃ】
2005150116.tif 000008
【図４】
2005150116.tif 000009
【図５】
2005150116.tif 000010
【図６Ａ】
2005150116.tif 000011
【図６Ｂ】
2005150116.tif 000012